(57)【要約】【課題】複数の画像をリピート印刷してから分離をすることにより複数の印刷分離結果を得る場合、複数の印刷分離結果の間でボイドが一致することを可能にする。【解決手段】画像記録媒体に画像を形成する画像形成装置であって、同一の前記画像記録媒体の少なくとも片面に、複数の画像を並べて形成するための画像形成手段と、当該画像形成装置の構成に起因した固有ボイドに基づいて、前記複数の画像に共通に付加する合成ボイドを生成する合成ボイド生成手段と、を備え、前記画像形成手段は、前記合成ボイドが付加された前記複数の画像を並べて形成する。【選択図】図４
2015149538.tif 000002
【特許請求の範囲】
【請求項１】
画像記録媒体に画像を形成する画像形成装置であって、
同一の前記画像記録媒体の少なくとも片面に、複数の画像を並べて形成するための画像形成手段と、
当該画像形成装置の構成に起因した固有ボイドに基づいて、前記複数の画像に共通に付加する合成ボイドを生成する合成ボイド生成手段と、
を備え、
前記画像形成手段は、前記合成ボイドが付加された前記複数の画像を並べて形成することを特徴とする画像形成装置。
【請求項２】
請求項１に記載の画像形成装置であって、
前記合成ボイド生成手段は、前記複数の画像に含まれる各々の画像の四辺を、印刷の設定に応じて、選択的に集めることにより形成した各辺集合毎に、その辺集合に対応する固有ボイドの集合を固有ボイド集合として求め、前記固有ボイド集合に含まれる幅が最大の固有ボイドを基に、その辺集合に含まれる辺に対応する合成ボイドを生成することを特徴とする画像形成装置。
【請求項３】
請求項１又は２に記載の画像形成装置であって、
前記画像は、イメージロスを含んだ原画像に基づくものであり、
前記合成ボイド生成手段は、前記イメージロスを前記固有ボイドとして扱った上で、前記合成ボイドを生成することを特徴とする画像形成装置。
【請求項４】
請求項１乃至３の何れか１項に記載の画像形成装置であって、
前記画像形成手段は、同一の前記画像記録媒体の両面に、複数の画像を並べて形成し、
前記合成ボイド生成手段は、表面に形成される画像に付加される合成ボイドを紙面を通して裏面から見たものが、裏面に形成される画像に付加される合成ボイドに一致するように合成ボイドを調整することを特徴とする画像形成装置。
【請求項５】
請求項１乃至４の何れか１項に記載の画像形成装置であって、
前記合成ボイドの寸法に応じて、各前記画像のトリミングを行うトリミング手段を更に備えることを特徴とする画像形成装置。
【請求項６】
請求項５に記載の画像形成装置であって、
前記画像は、イメージロスを含んだ原画像に基づくものであり、
前記トリミング手段は、前記イメージロスの寸法に応じて行う画像のトリミングを考慮した上で、前記イメージロスの寸法と前記合成ボイドの寸法に応じて、前記画像のトリミングを行うことを特徴とする画像形成装置。
【請求項７】
請求項５又は６に記載の画像形成装置であって、
前記合成ボイドの寸法に応じて、トリミング後の印刷領域に原画像が含まれるように、前記原画像の縮小を行う縮小手段を更に備えることを特徴とする画像形成装置。
【請求項８】
請求項１乃至７の何れか１項に記載の画像形成装置であって、
前記合成ボイドの寸法及び各前記画像の印刷順序に応じて、各前記画像の形成の始点を調整する画像形成始点調整手段を更に備えることを特徴とする画像形成装置。
【請求項９】
請求項８に記載の画像形成装置であって、
前記画像は、イメージロスを含んだ原画像に基づくものであり、
画像形成始点調整手段は、少なくとも１つの前記画像に対しては、前記イメージロスの寸法に応じて行う画像形成の始点の調整を考慮した上で、前記イメージロスの寸法と前記合成ボイドの寸法並びに各前記画像の印刷順序に応じて、前記画像の形成の始点を調整することを特徴とする画像形成装置。
【請求項１０】
請求項１乃至９の何れか１項に記載の画像形成装置であって、
前記複数の画像のうちの少なくとも一部は、共通の原画像に基づくものであることを特徴とする画像形成装置。
【請求項１１】
請求項１乃至１０の何れか１項に記載の画像形成装置を第１の画像形成装置として備え、該第１の画像形成装置に接続された少なくとも１台の他の画像形成装置を少なくとも１台の第２の画像形成装置として備える画像形成システムであって、
前記第１の画像形成装置の他に、各前記第２の画像形成装置も、前記画像形成手段を備え、
前記第１の画像形成装置に備わる合成ボイド生成手段は、前記第１の画像形成装置の構成に起因した固有ボイド、及び、各前記第２の画像形成装置の構成に起因した固有ボイドの双方に基づいて、前記第１の画像形成装置で形成される前記複数の画像及び少なくとも１台の前記第２の画像形成装置で形成される複数の画像に共通に付加する合成ボイドを生成することを特徴とする画像形成システム。
【請求項１２】
複数の画像形成装置に接続される画像形成用コンピュータであって、
前記複数の画像形成装置の各々は、前記画像形成用コンピュータからの指示に基づき、各画像形成装置毎に同一の前記画像記録媒体の少なくとも片面に、複数の画像を並べて形成するための画像形成手段を備え、
前記画像形成用コンピュータは、前記複数の画像形成装置の構成に起因した固有ボイドに基づいて、前記複数の画像形成装置で形成される複数の画像に共通に付加する合成ボイドを生成する合成ボイド生成手段を備え、
前記合成ボイドに関する情報を前記複数の画像形成装置に出す前記指示に含める指示生成手段と、
を備え、
前記複数の画像形成装置の各々の前記画像形成手段は、前記合成ボイドが付加された前記複数の画像を並べて形成することを特徴とする画像形成用コンピュータ。
【請求項１３】
画像記録媒体に画像を形成する画像形成方法であって、
同一の前記画像記録媒体の少なくとも片面に、複数の画像を並べて形成するための画像形成ステップと、
画像形成装置の構成に起因した固有ボイドに基づいて、前記複数の画像に共通に付加する合成ボイドを生成する合成ボイド生成ステップと、
を有し、
前記画像形成ステップでは、前記合成ボイドが付加された前記複数の画像を並べて形成することを特徴とする画像形成方法。
【請求項１４】
コンピュータを請求項１乃至１０の何れか１項に記載の画像形成装置として機能させるための画像形成用プログラム。
【請求項１５】
コンピュータを請求項１１に記載の画像形成システムにおける前記第１の画像形成装置として機能させるための画像形成用プログラム。
【請求項１６】
コンピュータを請求項１２に記載の画像形成用コンピュータとして機能せるための画像形成用プログラム。
【発明の詳細な説明】
【技術分野】
【０００１】
本発明は、画像記録媒体に画像を形成するための画像形成装置、画像形成システム、画像形成方法及び画像形成用プログラムに関し、特に、画像記録媒体に複数の画像を並べて形成する画像形成装置、画像形成システム、画像形成方法及び画像形成用プログラムに関する。
【背景技術】
【０００２】
ＭＦＰ(Multi Function Printer；多機能印刷機)は、印刷機能、スキャン機能、コピー機能、ファクシミリ機能などを含む複数の機能を含む複合機である。ここで、コピー機能は、スキャン機能と印刷機能とを組み合わせることにより構成することができる。そして、ＭＦＰは、これらの機能が必要な職場、学校、コンビニエンスストア等に導入されている。
【０００３】
印刷機能部が採用する印刷プロセスとしては、例えば、カールソン・プロセスが用いられる。カールソン・プロセスは、帯電、露光、現像、転写、分離、定着、及び、クリーニングの工程を含む。転写の工程で画像が転写された用紙は、分離の工程でドラム等から分離され、分離された用紙に転写されている画像は、定着の工程で用紙に定着される。
【０００４】
転写の工程で用紙の外縁部に付着したトナーが、転写の工程以降の工程に対して、悪影響を与えることを防止するために、用紙の外縁部にはボイド(void)と称される余白が設けられ、ボイドには、画像が形成されないようにしている。つまり、帯電の工程でボイドは帯電されず放電されたままであり、又は、帯電の工程でボイドが帯電されたとしても、露光の工程でボイドは放電され、これにより、現像の工程でボイドにはトナーが付着されず、従って、ボイドには画像が形成されないようにしている。ここで、ここで説明した悪影響を避けることを目的として設けられるボイドのことを固有ボイドと称することにする。
【０００５】
スキャン機能部は、一般的にＬＥＤランプやキセノンランプなどの照明を原稿に当て、その反射光をイメージセンサーで読み取る構造であるため、スキャン画像の端に影がでることがある。この悪影響を避けることを目的としてスキャン画像の端を有効画像領域としない場合がある。この領域をイメージロス領域と称することにする。
【先行技術文献】
【特許文献】
【０００６】
【特許文献１】特開２００５−２６０５１４号公報
【発明の概要】
【発明が解決しようとする課題】
【０００７】
ところで、各機能は、高度化されており、例えば、印刷機能又はコピー機能においては、１つの画像記録媒体としての１枚のコピー用紙等の用紙に、複数の画像をまとめて印刷することが可能となっている。以下、この印刷の機能のことを、必要に応じて、リピート印刷と称することにする。ここで、例えば、１枚のコピー用紙に複数の画像をまとめて印刷する場合には、同一の画像、又は、別々の画像を用紙の縦横に並べて印刷をする。縦横の並べ方としては、縦×横＝１×２、２×１、２×２、２×４、４×２、４×４等の様々な並べ方がある。例えば、縦２×横２の並びのリピート印刷を１枚の用紙に対して行う場合、４枚の同一の画像を１枚の用紙に対して印刷してもよいし、３枚の同一の画像と１枚の別の画像を１枚の用紙に対して印刷してもよいし、４枚の別々の画像を１枚ずつ１枚の用紙に対して印刷してもよい。また、これを、両面印刷機能又は両面コピー機能と組み合わせることも可能である。例えば、１枚の用紙の表面に縦２×横２のリピート印刷をして、その用紙の裏面に縦２×横２のリピート印刷をすることも可能である。
【０００８】
次に、通常技術における問題点についての説明をする。
【０００９】
一例として、Ａ３横長の用紙に、Ａ４縦長の画像を横に２枚並べてリピート印刷をすることを考える。
【００１０】
図１（ａ）に、Ａ３横長の用紙１０１を示す。右上の星印は、印刷の基準点を示す。用紙１０１は、図１（ａ）で見ると、左から右に向かって搬送される。そして、露光による描画の主走査は、図１（ａ）で見ると、上から下に向かってなされ、描画の副走査は、図１（ａ）で見ると、右から左に向かってなされる。この用紙１０１の上下左右の辺縁部にある右上がりのハッチング部（符号１０３）は、固有ボイドを示す。主走査先端側（図面上側）の固有ボイドの幅をＶｔ、主走査末端側（図面下側）の固有ボイドの幅をＶｂ、副走査先端側（図面右側）の固有ボイドの幅をＶｆ、副走査末端側（図面左側）の固有ボイドの幅をＶｒとする。これらの４つの側の固有ボイドには、印刷内容にかかわらず、印刷が行われない。図１（ｂ）及び図１（ｃ）には、印刷される画像の一例を示す。双方とも、２行横組みの「ＡＢＣ／ＤＥＦ」を印刷されるべき文字列として含む。ここで、「／」は、改行を表す。
【００１１】
図１（ａ）のＡ３横長用紙１０１及び固有ボイド１０３並びに図１（ｂ）のＡ４縦長画像１０５及び図１（ｃ）のＡ４縦長画像１０７を用いた場合、図２（ａ）に示すような印刷結果１１１が得られる。用紙を裁断することにより、図２（ａ）に示す印刷結果１１１を左右に分離すると、図２（ｂ）に示す印刷済みのＡ４縦長用紙１１３及び図２（ｃ）に示す印刷済みのＡ４縦長用紙１１５を２つの印刷分離結果として得ることができる。図２（ｂ）の印刷済みの用紙１１３と、図２（ｃ）の印刷済みの用紙１１５とを比較すると明らかなように、１枚の用紙に集約印刷することにより得た複数の画像を含む印刷結果を、個々の画像毎に分離して、これらを比較すると、これらの印刷分離結果の間で固有ボイドの配置が異なる。この例では、図２（ｂ）の印刷分離結果１１３では、固有左側ボイド、固有上側ボイド及び固有下側ボイドがあり、固有右側ボイドがないのに対して、図２（ｃ）の印刷分離結果１１５では、固有右側ボイド、固有上側ボイド及び固有下側ボイドがあるが、固有左側ボイドがない。
【００１２】
図３は、縦２×横２のリピート印刷結果及び印刷分離結果の例を示す。図３（ａ）は、集約印刷してから、分離する前の用紙１２１を示す。図３（ｂ）は、分離後の左上の印刷分離結果１２３を示す。図３（ｃ）は、分離後の右上の印刷分離結果１２５を示す。図３（ｄ）は、分離後の左下の印刷分離結果１２７を示す。図３（ｅ）は、分離後の右下の印刷分離結果１２９を示す。
【００１３】
図３（ｂ）〜（ｅ）を見て明らかなように、固有ボイドが印刷分離結果１２３、１２５、１２７及び１２９の間で揃っていない。
【００１４】
このようにリピート印刷をしたのちに分離をすることにより得た複数の印刷分離結果を見ると、これらの間で、固有ボイドが一致せずに、不揃いであり、体裁が良くない。また、固有ボイドを見越して画像の内容を調整しようとしても、そのような調整は複雑なものとなってしまう。
【００１５】
なお、特許文献１には、ダブルコピー機能で印刷する場合、用紙の第２の画面には原稿画像データを１８０度回転させて印刷することが記載されているが、固有ボイドを考慮するようなことは一切記載されていないし、イメージロスを考慮するようなことも一切記載されていない。
【００１６】
従って、本発明は、複数の画像をリピート印刷してから分離をすることにより複数の印刷分離結果を得る場合、複数の印刷分離結果の間でボイドが一致することを可能にする画像形成装置、画像形成システム、画像形成方法及び画像形成用プログラムを提供することを目的とする。
【課題を解決するための手段】
【００１７】
本発明によれば、画像記録媒体に画像を形成する画像形成装置であって、同一の前記画像記録媒体の少なくとも片面に、複数の画像を並べて形成するための画像形成手段と、当該画像形成装置の構成に起因した固有ボイドに基づいて、前記複数の画像に共通に付加する合成ボイドを生成する合成ボイド生成手段と、を備え、前記画像形成手段は、前記合成ボイドが付加された前記複数の画像を並べて形成することを特徴とする画像形成装置が提供される。
【００１８】
また、本発明によれば、上記の画像形成装置を第１の画像形成装置として備え、該第１の画像形成装置に接続された少なくとも１台の他の画像形成装置を少なくとも１台の第２の画像形成装置として備える画像形成システムであって、前記第１の画像形成装置の他に、各前記第２の画像形成装置も、前記画像形成手段を備え、前記第１の画像形成装置に備わる合成ボイド生成手段は、前記第１の画像形成装置の構成に起因した固有ボイド、及び、各前記第２の画像形成装置の構成に起因した固有ボイドの双方に基づいて、前記第１の画像形成装置で形成される前記複数の画像及び少なくとも１台の前記第２の画像形成装置で形成される複数の画像に共通に付加する合成ボイドを生成することを特徴とする画像形成システムが提供される。
【００１９】
更に、本発明によれば、複数の画像形成装置に接続される画像形成用コンピュータであって、前記複数の画像形成装置の各々は、前記画像形成用コンピュータからの指示に基づき、各画像形成装置毎に同一の前記画像記録媒体の少なくとも片面に、複数の画像を並べて形成するための画像形成手段を備え、前記画像形成用コンピュータは、前記複数の画像形成装置の構成に起因した固有ボイドに基づいて、前記複数の画像形成装置で形成される複数の画像に共通に付加する合成ボイドを生成する合成ボイド生成手段を備え、前合成ボイドに関する情報を前記複数の画像形成装置に出す前記指示に含める指示生成手段と、を備え、前記複数の画像形成装置の各々の前記画像形成手段は、前記合成ボイドが付加された前記複数の画像を並べて形成することを特徴とする画像形成用コンピュータが提供される。
【００２０】
更に、本発明によれば、画像記録媒体に画像を形成する画像形成方法であって、同一の前記画像記録媒体の少なくとも片面に、複数の画像を並べて形成するための画像形成ステップと、画像形成装置の構成に起因した固有ボイドに基づいて、前記複数の画像に共通に付加する合成ボイドを生成する合成ボイド生成ステップと、を有し、前記画像形成ステップでは、前記合成ボイドが付加された前記複数の画像を並べて形成することを特徴とする画像形成方法が提供される。
【００２１】
更に、本発明によれば、コンピュータを上記の画像形成装置として機能させるための画像形成用プログラムが提供される。
【００２２】
更に、本発明によれば、コンピュータを上記の画像形成システムにおける前記第１の画像形成装置として機能させるための画像形成用プログラムが提供される。
【００２３】
更に、本発明によれば、コンピュータを上記の画像形成用コンピュータとして機能させるための画像形成用プログラムが提供される。
【発明の効果】
【００２４】
本発明によれば、複数の画像をリピート印刷してから分離をすることにより複数の印刷分離結果を得る場合、複数の印刷分離結果の間でボイドが一致することが可能となる。
【図面の簡単な説明】
【００２５】
【図１】リピート印刷の説明をするための図である。
【図２】従来例によるリピート印刷の説明をするための図である。
【図３】他の従来例によるリピート印刷の説明をするための図である。
【図４】本発明の実施形態１によるリピート印刷を説明するための図である。
【図５】本発明の実施形態２によるリピート印刷を説明するための図である。
【図６】本発明の実施形態３によるリピート印刷を説明するための第１の図である。
【図７】本発明の実施形態３によるリピート印刷を説明するための第２の図である。
【図８】本発明の実施形態４で解決しようとする課題を説明するための図である。
【図９】本発明の実施形態４によるリピート印刷を説明するための図である。
【図１０】本発明の実施形態５で解決しようとする課題を説明するための図である。
【図１１】本発明の実施形態５によるリピート印刷を説明するための図である。
【図１２】本発明の実施形態６で解決しようとする課題を説明するための図である。
【図１３】本発明の実施形態６によるリピート印刷を説明するための図である。
【図１４】本発明の実施形態７による画像形成装置の構成を示す機能ブロック図である。
【図１５】図１４に示す画像形成装置が行うリピート印刷方法を説明するためのフロー図である。
【図１６】図１５に示すステップＳ３０７の詳細を説明するためのフロー図である。
【図１７】図１５に示すステップＳ３０９の詳細を説明するためのフロー図である。
【図１８】本発明の実施形態８によるタンデム印刷とリピート印刷を併用するシステムの構成を示すブロック図である。
【発明を実施するための形態】
【００２６】
以下、図面を参照して本発明を実施するための形態について詳細に説明する。
【００２７】
［実施形態１］
図４は、本発明の実施形態１によるリピート印刷の結果を示す。図４（ａ）に示すものは、Ａ３横長印刷用紙にＡ４縦長の画像を縦１×横２でリピート印刷することにより得た印刷結果１３１であり、図４（ｂ）及び図４（ｃ）に示すものは、それぞれ、図４（ａ）に示す印刷結果１３１を、裁断することにより、左右２つに分離して得た左側印刷分離結果１３３と右側印刷分離結果１３５である。
【００２８】
右上がりのハッチングで示す部分（符号１３７）は、従来の多機能印刷装置の印刷機能でも、本実施形態による多機能印刷装置の多機能印刷機能でも発生する固有ボイドを示す。固有ボイドに関しては、既に説明をしているが、再度の説明をすると、例えば、カールソン・プロセスによる印刷において、転写の工程で用紙の外縁部に付着したトナーが、転写の工程以降の工程に対して、悪影響を与えることを防止することを目的として、用紙の外縁部に意図的に設けられた余白のことであり、この部分には、印刷はされない。
【００２９】
右下がりのハッチングで示す部分（符号１３９）は、本発明に従って設けられた擬似ボイドである。図４（ｂ）と図４（ｃ）とを比較すると明らかなように、固有ボイドと、擬似ボイドとを含む合成ボイドが、左側印刷分離結果１３３と右側印刷分離結果１３５との間で同一となるように擬似ボイドの寸法が決定される。そして、固有ボイド全体に加えて、擬似ボイド全体が印刷禁止の領域とされる。つまり、合成ボイドの全域が印刷禁止の領域となる。なお、疑似ボイドを間接的に用いずに、固有ボイドから直接的に合成ボイドを求めても良い。
【００３０】
固有ボイドに擬似ボイドを追加することにより得た合成ボイド全体は、複数の印刷分離結果間で共通となるため、複数の印刷分離結果は、合成ボイドに関しては、共通となる。従って、印刷内容を表す画像が複数の印刷分離結果間で共通であれば、複数の印刷分離結果は、全く同一となる。印刷内容を表す画像が複数の印刷分離結果間で異なっていれば、余白である合成ボイドが揃った複数の印刷分離結果を得ることが可能となる。
【００３１】
次に、固有ボイドと擬似ボイドと合成ボイドの寸法についての説明をする。
【００３２】
一例として、縦１×横２のリピート印刷をする場合には、次の通りとなる。
【００３３】
上側固有ボイドは、左側の個別印刷結果と右側の個別印刷結果との間で共通であり、また、下側固有ボイドも、左側の個別印刷結果と右側の個別印刷結果との間で共通であるため、上側擬似ボイドも下側擬似ボイドも発生させずに、上側固有ボイドは、そのまま上側合成ボイドとして用いられ、下側固有ボイドは、そのまま下側合成ボイドとして用いられる。ここで、個別印刷結果とは、リピート印刷の結果として得られる複数の印刷結果のうちの個々の印刷結果のことをいう。
【００３４】
左側固有ボイドの幅は、Ｖｒ（＞０）であり、左側固有ボイドは、左側の個別印刷結果の左辺に沿った辺縁部に配置される。これに対して、右側の個別印刷結果の左辺に沿った辺縁部はＡ３横長用紙の中央部にあり、従って、この辺縁部にはどの側にある固有ボイドも対応しない。そこで、左側の個別印刷結果と右側の個別印刷結果との間で共通な左側合成ボイドを設け、この幅をＶｒに設定する。このためには、右側個別印刷結果に対応する左側擬似ボイドの幅をＶｒに設定する。
【００３５】
同様に、右側固有ボイドの幅は、Ｖｆ（＞０）であり、右側固有ボイドは、右側の個別印刷結果の右辺に沿った辺縁部に配置される。これに対して、左側の個別印刷結果の右辺に沿った辺縁部はＡ３横長用紙の中央部にあり、従って、この辺縁部にはどの側にある固有ボイドも対応しない。そこで、左側の個別印刷結果と右側の個別印刷結果との間で共通な右側合成ボイドを設け、この幅をＶｒに設定する。このためには、左側個別印刷結果に対応する右側擬似ボイドの幅をＶｆに設定する。
【００３６】
図４の例を一般化すると次の通りとなる。
【００３７】
左側固有ボイド（副走査末端側固有ボイド）の幅をＶｒ、右側固有ボイド（副走査先端側固有ボイド）の幅をＶｆ、上側固有ボイド（主走査先端側固有ボイド）の幅をＶｔ、下側固有ボイド（主走査末端側固有ボイド）の幅をＶｂとすると、各個別印刷結果の左側合成ボイド（副走査末端側合成ボイド）の幅ＳＶｒ、右側合成ボイド（副走査先端側合成ボイド）の幅ＳＶｆ、上側合成ボイド（主走査先端側合成ボイド）の幅ＳＶｔ、下側合成ボイド（副走査末端側合成ボイド）の幅ＳＶｂは、下式の通りとなる。
【００３８】
ＳＶｒ＝Ｖｒ
ＳＶｆ＝Ｖｆ
ＳＶｔ＝Ｖｔ
ＳＶｂ＝Ｖｂ
合成ボイドの幅が決定したならば、それに合わせて、原画像のトリミングと、印刷位置の調整を行う。原画像のサイズが、個別印刷結果のサイズと等しいことを前提とすると、トリミングは、合成ボイドと同一の幅を原画像の辺縁部から削除するものとなる。主走査方向の原画像のサイズをＨ１、及び副走査方向の原画像のサイズＷ１とした場合、トリミング後の主走査方向の画像サイズ、及び、副走査方向の画像サイズは、それぞれ、下記の通りとなる。
【００３９】
トリミング後の主走査方向の画像サイズ：Ｈ１−（ＳＶｔ＋ＳＶｂ）
トリミング後の副走査方向の画像サイズ：Ｗ１−（ＳＶｆ＋ＳＶｒ）
印刷位置の調整は、次の通りとなる。右側個別印刷結果に対応する印刷開始位置Ｐ１（ｈ１、ｗ１）の主走査方向の印刷開始位置ｈ１及び副走査方向の印刷開始位置ｗ１は、下式の通りとなる。
【００４０】
ｈ１＝ＳＶｔ
ｗ１＝ＳＶｆ
左側個別印刷結果に対応する印刷開始位置Ｐ２（ｈ２、ｗ２）の主走査方向の印刷開始位置ｈ２及び副走査方向の印刷開始位置ｗ２は、下式の通りとなる。
【００４１】
ｈ２＝ＳＶｔ
ｗ２＝Ｗ１＋ＳＶｆ
［実施形態２］
実施形態１は、縦１×横２のリピート印刷をしてから、リピート印刷後の用紙を２枚に分離することとしているものである。これに対して、実施形態２は、縦２×横２のリピート印刷をしてから、リピート印刷後の用紙を４枚に分離することとするものである。参考までに、本発明を導入しないと、図３に示すように、ボイドが印刷分離結果の間で揃わない。
【００４２】
図５（ａ）は、本発明に従って、擬似ボイドを導入して、合成ボイドを設けた場合のリピート印刷結果１４１を示し、図５（ｂ）乃至（ｅ）は、そのリピート印刷結果を分離することにより得た４つの印刷分離結果１４３、１４５、１４７及び１４９を示す。
【００４３】
図５（ｂ）乃至（ｅ）に示す印刷分離結果１４３、１４５、１４７及び１４９は、実施形態１の印刷分離結果１３３及び１３５と同様に、共通に下記の関係を満たす合成ボイドを含んでいる。
【００４４】
左側固有ボイド（副走査末端側固有ボイド）の幅をＶｒ、右側固有ボイド（副走査先端側固有ボイド）の幅をＶｆ、上側固有ボイド（主走査先端側固有ボイド）の幅をＶｔ、下側固有ボイド（主走査末端側固有ボイド）の幅をＶｂとすると、各個別印刷結果の左側合成ボイド（副走査末端側合成ボイド）の幅ＳＶｒ、右側合成ボイド（副走査先端側合成ボイド）の幅ＳＶｆ、上側合成ボイド（主走査先端側合成ボイド）の幅ＳＶｔ、下側合成ボイド（副走査末端側合成ボイド）の幅ＳＶｂは、下式の通りとなる。
【００４５】
ＳＶｒ＝Ｖｒ
ＳＶｆ＝Ｖｆ
ＳＶｔ＝Ｖｔ
ＳＶｂ＝Ｖｂ
但し、固有ボイドと擬似ボイドをどのように混在させて合成ボイドを構成するかという点は、実施形態１とは異なり、また、実施形態２でも、個々の印刷分離結果毎に異なる。つまり、図５（ｂ）に示す左上の印刷分離結果１４３の場合であれば、左側と上側の合成ボイドは、固有ボイドより構成され、右側と下側の合成ボイドは、擬似ボイドより構成される。図５（ｃ）に示す右上の印刷分離結果１４５の場合であれば、右側と上側の合成ボイドは、固有ボイドより構成され、左側と下側の合成ボイドは、擬似ボイドより構成される。図５（ｄ）に示す左下の印刷分離結果１４７の場合であれば、左側と下側の合成ボイドは、固有ボイドより構成され、右側と上側の合成ボイドは、擬似ボイドより構成される。図５（ｅ）に示す右下の印刷分離結果１４９の場合であれば、右側と下側の合成ボイドは、固有ボイドより構成され、左側と上側の合成ボイドは、擬似ボイドより構成される。
【００４６】
合成ボイドの幅が決定したならば、それに合わせて、原画像のトリミングと、印刷位置の調整を行う。原画像のサイズが、個別印刷結果のサイズと等しいことを前提とすると、トリミングは、合成ボイドと同一の幅を原画像の辺縁部から削除するものとなる。主走査方向の原画像のサイズをＨ２、及び副走査方向の原画像のサイズＷ２とした場合、トリミング後の主走査方向の画像サイズ、及び、副走査方向の画像サイズは、それぞれ、下記の通りとなる。
【００４７】
トリミング後の主走査方向の画像サイズ：Ｈ２−（ＳＶｔ＋ＳＶｂ）
トリミング後の副走査方向の画像サイズ：Ｗ２−（ＳＶｆ＋ＳＶｒ）
印刷位置の調整は、次の通りとなる。右上側個別印刷結果に対応する印刷開始位置Ｐ１１（ｈ１１、ｗ１１）の主走査方向の印刷開始位置ｈ１１及び副走査方向の印刷開始位置ｗ１１は、下式の通りとなる。
【００４８】
ｈ１１＝ＳＶｔ
ｗ１１＝ＳＶｆ
左上側個別印刷結果に対応する印刷開始位置Ｐ１２（ｈ１２、ｗ１２）の主走査方向の印刷開始位置ｈ１２及び副走査方向の印刷開始位置ｗ１２は、下式の通りとなる。
【００４９】
ｈ１２＝ＳＶｔ
ｗ１２＝Ｗ２＋ＳＶｆ
右下個別印刷結果に対応する印刷開始位置Ｐ２１（ｈ２１、ｗ２１）の主走査方向の印刷開始位置ｈ２１及び副走査方向の印刷開始位置ｗ２１は、下式の通りとなる。
【００５０】
ｈ２１＝Ｈ２＋ＳＶｔ
ｗ２１＝ＳＶｆ
左下個別印刷結果に対応する印刷開始位置Ｐ２２（ｈ２２、ｗ２２）の主走査方向の印刷開始位置ｈ２２及び副走査方向の印刷開始位置ｗ２２は、下式の通りとなる。
【００５１】
ｈ２２＝Ｈ２＋ＳＶｔ
ｗ２２＝Ｗ２＋ＳＶｆ
［実施形態３］
実施形態３は、イメージロス(image loss)を考慮にいれたものである。ここで、イメージロスについての説明を次にする。イメージロスとは、スキャン機能部が出力する読取画像の辺縁部に存在する余白部のことである。スキャン機能部が撮像素子を用いて撮像した画像のうちのイメージロスの部分の画像は、画像処理により強制的に所定の色（たとえば、白色）とされる。例えば、スキャン対象を撮像素子が撮像して得た画像の辺縁部にスキャン対象として相応しくない画像が混在していても、画像の辺縁部に所定幅のイメージロスを設けることにより、混在した画像をスキャン機能部が出力する読取画像から除くことができ、これにより、読取画像の品位を維持することができる。本実施形態は、イメージロスを含む画像をスキャナ機能部から入力して、それを印刷するものである。
【００５２】
実質的には、次の方法で合成ボイドを形成する。まず、固有ボイドと、これに基づいて生成した擬似ボイドとを合わせて、合成ボイドを形成する。次に、リピート印刷により得られる少なくとも１つの個別画像において、合成ボイドの領域からはみ出るイメージロスがあるならば、そのはみ出るイメージロスを追加の固有ボイドとして扱い、通常の固有ボイドと追加の固有ボイドに基づいて、擬似ボイドを生成し直して、それから合成ボイドを形成し直す。こうすることにより、複数の個別画像間で、固有ボイドのみならずイメージロスも考慮した上での共通の合成ボイドを形成することができる。
【００５３】
しかし、処理の上では、単に、最初から、イメージロスを固有ボイドとして扱い、普通の固有ボイドにそれを追加して、実施形態１又は２と同様な方法により、合成ボイドを生成すれば足りる。
【００５４】
実施形態３では、図１（ａ）に示すＡ３横長の用紙１０１に、図６に示すようなイメージロスを含むＡ４縦長画像を縦１×横２でリピート印刷する。縦横の細かいクロスハッチングをかけている部分１５１がイメージロス部である。
【００５５】
図７（ａ）は、実施形態３により得られる２つの個別画像が分離される前の状態を示す。
【００５６】
図面上は、各個別画像の左側の合成ボイド１５３ｒは、右上がりのハッチングと縦横のクロスハッチングが混在して構成されている。このような構成となっていることの理由は、図１（ａ）と図６とを参照すると明らかなように、左側のイメージロス１５１ｒの幅Ｌｒよりも、左側の固有ボイド１０３ｒの幅Ｖｒの方が広いためである（Ｖｒ＞Ｌｒ）。従って、左側の固有ボイド１０３ｒの幅Ｖｒをそのまま左側の合成ボイド１５３ｒの幅ＳＶｒとして利用する（ＳＶｒ＝Ｖｒ）。
【００５７】
図面上は、各個別画像の右側の合成ボイド１５３ｆは、縦横のクロスハッチングのみより構成されている。このような構成となっていることの理由は、図１（ａ）と図６とを参照すると明らかなように、右側の固有ボイド１０３ｆの幅Ｖｆよりも、右側のイメージロス１５１ｆの幅Ｌｆの方が広いためである（Ｌｆ＞Ｖｒ）。従って、右側のイメージロス１５１ｆの幅Ｌｆをそのまま右側の合成ボイド１５３ｆの幅ＳＶｆとして利用する（ＳＶｆ＝Ｌｆ）。
【００５８】
図面上は、各個別画像の上側の合成ボイド１５３ｔは、縦横のクロスハッチングのみより構成されている。このような構成となっていることの理由は、図１（ａ）と図６とを参照すると明らかなように、上側の固有ボイド１０３ｔの幅Ｖｔよりも、上側のイメージロス１５１ｔの幅Ｌｔの方が広いためである（Ｌｔ＞Ｖｔ）。従って、上側のイメージロス１５１ｔの幅Ｌｔをそのまま上側の合成ボイド１５３ｔの幅ＳＶｔとして利用する（ＳＶｔ＝Ｌｔ）。
【００５９】
図面上は、各個別画像の下側の合成ボイド１５３ｂは、高さ方向では右上がりハッチングのみより構成されている。このような構成となっていることの理由は、図１（ａ）と図６とを参照すると明らかなように、下側のイメージロス１５１ｂの幅であるゼロよりも、下側の固有ボイド１０３ｂの幅Ｖｂの方が広いためである（Ｖｂ＞０）。従って、下側の固有ボイド１０３ｂの幅Ｖｂをそのまま下側の合成ボイド１５３ｂの幅ＳＶｂとして利用する（ＳＶｂ＝Ｖｂ）。
【００６０】
上記から明らかなように、各側において、固有ボイドの幅Ｖとイメージロスの幅Ｌのうちの広いほうの幅を、合成ボイドの幅として利用する（ＳＶ＝ｍａｘ（Ｖ，Ｌ））。
【００６１】
図７（ｂ）及び図７（ｃ）は、それぞれ、図７（ａ）に示すリピート印刷結果を分離することにより得られる左側印刷分離結果及び右側印刷分離結果である。
【００６２】
左側固有ボイド（副走査末端側固有ボイド）の幅をＶｒ、右側固有ボイド（副走査先端側固有ボイド）の幅をＶｆ、上側固有ボイド（主走査先端側固有ボイド）の幅をＶｔ、下側固有ボイド（主走査末端側固有ボイド）の幅をＶｂ、左側イメージロスの幅をＬｒ、右側イメージロスの幅をＬｆ、上側イメージロスの幅をＬｔ、下側イメージロスの幅をＬｂとすると、各個別印刷結果の左側合成ボイド（副走査末端側合成ボイド）の幅ＳＶｒ、右側合成ボイド（副走査先端側合成ボイド）の幅ＳＶｆ、上側合成ボイド（主走査先端側合成ボイド）の幅ＳＶｔ、下側合成ボイド（主走査末端側合成ボイド）の幅ＳＶｂは、下式の通りとなる。
【００６３】
ＳＶｒ＝ｍａｘ（Ｖｒ，Ｌｒ）
ＳＶｆ＝ｍａｘ（Ｖｆ，Ｌｆ）
ＳＶｔ＝ｍａｘ（Ｖｔ，Ｌｔ）
ＳＶｂ＝ｍａｘ（Ｖｂ，Ｌｂ）
合成ボイドの幅が決定したならば、それに合わせて、画像のトリミングと、印刷位置の調整を行う。原画像のサイズが、個別印刷結果のサイズと等しいことを前提とすると、トリミングは、合成ボイドと同一の幅を原画像の辺縁部から削除するものとなる。主走査方向の原画像のサイズをＨ１、及び副走査方向の原画像のサイズＷ１とした場合、トリミング後の主走査方向の画像サイズ、及び、副走査方向の画像サイズは、それぞれ、下記の通りとなる。
【００６４】
トリミング後の主走査方向の画像サイズ：Ｈ１−（ＳＶｔ＋ＳＶｂ）
トリミング後の副走査方向の画像サイズ：Ｗ１−（ＳＶｆ＋ＳＶｒ）
但し、既に、原画像からイメージロスの部分が削除されているならば、その削除により、原画像のサイズは、下記のように変更されている。
【００６５】
主走査方向の原画像サイズ：Ｈ１−（Ｌｔ＋Ｌｂ）
副走査方向の原画像サイズ：Ｗ１−（Ｌｆ＋Ｌｒ）
イメージロスの幅よりも、固有ボイドの幅のほうが狭い側においては、更に、トリミングをする必要はない。しかし、逆に、イメージロスの幅よりも、固有ボイドの幅の方が広い側においては、両者の差分の幅だけ更にトリミングをする必要がある。従って、トリミング後の主走査方向の画像サイズ、及び、副操作方向の画像サイズは、それぞれ、下記の通りとなる。
トリミング後の主走査方向の画像サイズ：
Ｈ１−（Ｌｔ＋Ｌｂ）
−ｍａｘ｛（ＳＶｔ−Ｌｔ），０｝
−ｍａｘ｛（ＳＶｂ−Ｌｂ），０｝
トリミング後の副走査方向の画像サイズ：
Ｗ１−（Ｌｆ＋Ｌｒ）
−ｍａｘ｛（ＳＶｆ−Ｌｆ），０｝
−ｍａｘ｛（ＳＶｒ−Ｌｒ），０｝
印刷位置の調整方法は、次の通りとなる。右側個別印刷結果に対応する印刷開始位置Ｐ１（ｈ１、ｗ１）の主走査方向の印刷開始位置ｈ１及び副走査方向の印刷開始位置ｗ１は、下式の通りとなる。
【００６６】
ｈ１＝ＳＶｔ
ｗ１＝ＳＶｆ
左側個別印刷結果に対応する印刷開始位置Ｐ２（ｈ２、ｗ２）の主走査方向の印刷開始位置ｈ２及び副走査方向の印刷開始位置ｗ２は、下式の通りとなる。
【００６７】
ｈ２＝ＳＶｔ
ｗ２＝Ｗ１＋ＳＶｆ
但し、右側個別印刷結果について、既に、原画像からイメージロスの分だけ調整済みの印刷開始位置Ｑ１（ｈｈ１，ｗｗ１）が得られているとする。
【００６８】
ｈｈ１＝Ｌｔ
ｗｗ１＝Ｌｆ
走査の開始側のイメージロスの幅よりも、固有ボイドの幅のほうが狭い側においては、合成ボイドの幅はイメージロスの幅に等しいので、更に、印刷の開始位置を調整する必要はない。しかし、逆に、走査の開始側のイメージロスの幅よりも、固有ボイドの幅の方が広い側においては、合成ボイドの幅は固有ボイドの幅に等しいので、イメージロスの幅と固有ボイドの幅の差分だけ更に印刷の開始位置を調整する必要がある。主走査方向と副走査方向について、これらの２つの場合をまとめると下式のようになる。
【００６９】
ｈ１＝ｈｈ１＋ｍａｘ｛（ＳＶｔ−Ｌｔ），０｝
ｗ１＝ｗｗ１＋ｍａｘ｛（ＳＶｆ−Ｌｆ），０｝
同様に、右側個別印刷結果について、既に、原画像からイメージロスの分だけ調整済みの印刷開始位置Ｑ２（ｈｈ２，ｗｗ２）が得られているとする。
【００７０】
ｈｈ２＝Ｌｔ
ｗｗ２＝Ｗ１＋Ｌｆ
走査の開始側のイメージロスの幅よりも、固有ボイドの幅のほうが狭い側においては、合成ボイドの幅はイメージロスの幅に等しいので、更に、印刷の開始位置を調整する必要はない。しかし、逆に、走査の開始側のイメージロスの幅よりも、固有ボイドの幅の方が広い側においては、合成ボイドの幅は固有ボイドの幅に等しいので、イメージロスの幅と固有ボイドの幅の差分だけ更に印刷の開始位置を調整する必要がある。主走査方向と副走査方向について、これらの２つの場合をまとめると下式のようになる。
【００７１】
ｈ２＝ｈｈ２＋ｍａｘ｛（ＳＶｔ−Ｌｔ），０｝
ｗ２＝ｗｗ２＋ｍａｘ｛（ＳＶｆ−Ｌｆ），０｝
［実施形態４］
図２に示した従来技術は、左右の個別印刷結果が共に正立するように縦１×横２のリピート印刷をする場合における課題を示すものである。実施形態１は、このような場合における課題を解決するような合成ボイドを導入するものである。
【００７２】
これに対して、図８（ａ）に示す従来技術は、左の個別印刷結果が正立するが、右の個別印刷結果が倒立するように縦１×横２のリピート印刷をする場合における課題を示すものである。実施形態４は、このような場合における課題を解決するような合成ボイドを導入するものである。
【００７３】
図８（ａ）に示すように、左の個別印刷結果と右の個別印刷結果との間では、画像の向きを基準にしてみた場合、上側の固有ボイドと下側の固有ボイドの位置が逆の関係にあるので、上側の固有ボイドの幅が下側の固有ボイドの幅と異なる場合には、左側の個別印刷結果の上側のボイドは、右側の個別印刷結果の上側のボイドと異なってしまい、更には、左側の個別印刷結果の下側のボイドは、右側の個別印刷結果の下側のボイドと異なってしまう。また、図８に示すように、画像の向きを基準にしてみた場合、左側の個別印刷結果の左側のボイドとしては、左側の固有ボイドが用いられ、右側のリピート印刷結果の左側のボイドとしては、右側の固有ボイドが用いられる。従って、左側の固有ボイドの幅が右側の固有ボイドの幅と異なると、左側のリピート印刷結果の左側のボイドは、右側のリピート印刷結果の左側のボイドと異なってしまう。図８（ａ）に示す左右のリピート印刷結果を分離して得られる左右のリピート印刷分離結果を、それぞれ、図８（ｂ）及び図８（ｃ）に示す。
【００７４】
本実施形態は、このような課題を解決するものである。本実施形態では、相互間で異なっていることが問題となっている固有ボイドの幅を比較して、広い方の幅を合成ボイドの幅として利用する方法を用いる。すなわち、上側固有ボイドと下側固有ボイドのうちの幅が広い方の固有ボイドの幅を、両方の個別印刷結果の上側の合成ボイド及び下側の合成ボイドの幅として設定する。同様に、左側固有ボイドと右側固有ボイドのうちの幅が広い方の固有ボイドの幅を、両方の個別印刷結果の左側の合成ボイドの幅として設定する。なお、両方の個別印刷結果の右側の合成ボイドの幅はゼロである。すなわち、両方の個別印刷結果の右側の合成ボイドは設けない。
【００７５】
このような解決方法を適用して得られる分離前の左側個別印刷結果及び右側個別印刷結果を図９（ａ）に示し、分離後の左側個別印刷結果を図９（ｂ）に示し、分離後の右側個別印刷結果を図９（ｃ）に示す。
【００７６】
［実施形態５］
図２に示した従来技術は、左右の個別印刷結果が共に正立するように縦１×横２のリピート印刷をする場合における課題を示すものである。実施形態１は、このような場合における課題を解決するような合成ボイドを導入するものである。
【００７７】
また、図２に示した従来技術と実施形態１においては、片面印刷を前提としていた。
【００７８】
これに対して、図１０に示す従来技術は、両面印刷をするものである。図１０に示す従来技術は、表面においても裏面においても、左右の個別印刷結果が共に正立するような縦１×横２のリピート印刷をするので、表面と裏面を個々に見れば、図２に示した従来技術と同様なものとなるが、両面印刷をすることに起因する新たな課題を持つこととなる。その課題とは、分離後の個別印刷結果の表面における合成ボイドを裏から透かして見たものと裏面における合成ボイドとが一致しないことである。合成ボイド部を切り落とさないで、そのまま残しておくのであれば、これは課題とはならないが、合成ボイド部を切り落とす場合には、例えば、表面における合成ボイドに合わせて用紙を切断すると、裏面の一部の合成ボイドが残り、また、裏面の有効な画像が削除されてしまうということが解決するべき課題となる。
【００７９】
図１０（ａ）は、リピート印刷された表面を示し、図１０（ｂ）は、リピート印刷された裏面を示す。横綴じを想定して、リピート印刷結果を分離した後に、分離結果を、例えば、文字が正立する向きで見た左側で綴じることとする。表面の左の個別印刷結果と裏面の右の個別印刷結果が背中合わせとなり、「ＡＢＣ／ＤＥＦ」と「ＧＨＩ／ＪＫＬ」は共に正立している。これを「Ａ／Ｄ」の左側で綴じる。また、表面の右の個別印刷結果と裏面の左の個別印刷結果が背中合わせとなり、「ＡＢＣ／ＤＥＦ」と「ＧＨＩ／ＪＫＬ」は共に正立している。これも「Ａ／Ｄ」の左側で綴じる。
【００８０】
そうすると、表面の左の個別印刷結果と裏面の右の個別印刷結果が背中合わせとなっている用紙においては、表面の左の個別印刷結果と裏面の右の個別印刷結果との間では、上側のボイドと下側のボイドは共に一致しているが、左側のボイドも右側のボイドも一致していない。他方の用紙においても、各面でのボイドの左右が逆となる点を除き、同様である。
【００８１】
そこで、本実施形態では、図１１に示すように、左側固有ボイドの幅と右側固有ボイドの幅のうちの広い方の幅を、左側合成ボイドの幅及び右側合成ボイドの幅として設定する。なお、上側固有ボイドの幅はそのまま上側合成ボイドの幅として設定して、下側固有ボイドの幅もそのまま下側合成ボイドの幅として設定する。
【００８２】
［実施形態６］
実施形態５は、両面印刷と横綴じとの組み合わせにおける課題を解決するものである。これに対し、本実施形態は、両面印刷と縦綴じとの組み合わせにおける課題を解決するものである。
【００８３】
両面印刷した用紙を横綴じにするか、縦綴じにするかによって、表面のどの側にあるボイドが、裏面のどの側にあるボイドと重なるようになるかという組合せが、異なってくる。従って、この重なりの組合せに応じて、実施形態５を変更したものが、本実施形態である。
【００８４】
図１２（ａ）は、リピート印刷された表面を示し、図１２（ｂ）は、リピート印刷された裏面を示す。縦綴じを想定して、リピート印刷結果を分離した後に、分離結果を、例えば、文字が正立する向きで見た上側で綴じることとする。表面の左の個別印刷結果と裏面の右の個別印刷結果が背中合わせとなり、「ＡＢＣ／ＤＥＦ」は正立しており、「ＧＨＩ／ＪＫＬ」は倒立している。これを用紙の上側で綴じる。また、表面の右の個別印刷結果と裏面の左の個別印刷結果が背中合わせとなり、「ＡＢＣ／ＤＥＦ」は倒立しており、「ＧＨＩ／ＪＫＬ」は正立している。これを用紙の下側で綴じる。
【００８５】
そうすると、表面の左の個別印刷結果と裏面の右の個別印刷結果が背中合わせとなっている用紙においては、表面の左の個別印刷結果と裏面の右の個別印刷結果との間では、上側のボイドと下側のボイドは共に一致しているが、表面から見た場合の左側が一致していない。なお、表面から見た場合の右側のボイドはない。他方の用紙においても、各面でのボイドの左右が逆となる点を除き、同様である。
【００８６】
そこで、本実施形態では、図１３に示すように、左側固有ボイドの幅と右側固有ボイドの幅のうちの広い方の幅を、左側合成ボイドの幅及び右側合成ボイドの幅として設定する。なお、上側固有ボイドの幅はそのまま上側合成ボイドの幅として設定して、下側固有ボイドの幅もそのまま下側合成ボイドの幅として設定する。
【００８７】
［実施形態７］
次に、上記の実施形態１乃至６のリピート印刷方法を行う画像形成装置を含む多機能印刷機についての説明をする。
【００８８】
図１４は、本実施形態による多機能印刷機２００の機能ブロック図である。
【００８９】
図１４を参照すると、多機能印刷機２００は、外部インターフェース２０１、スキャナ（スキャン機能部）２０３、画像データ記憶部２０５、ユーザインターフェース２０７、固有ボイド記憶部２０８、合成ボイド算出部２０９、トリミング位置算出部２１３、印刷開始位置算出部２１５、フィッティング縮小率算出部２１７、印刷エンジン駆動情報生成部２１９、印刷エンジン２２１、プレビュー画像生成部２２３を含む。
【００９０】
外部インターフェース２０１は、外部の機器（例えば、他の多機能印刷機、コピー機、パーソナルコンピュータ等）との間でデータの入出力をするためのインターフェースである。また、外部インターフェース２０１は、外部の機器から入力した画像データを、外部入力画像データとして出力する。更に、外部インターフェース２０１は、他の多機能印刷機又はコピー機の固有ボイド情報を入力して、それを外部固有ボイド情報として出力する。
【００９１】
スキャナ（スキャン機能部）２０３は、スキャナに置かれた原稿又は、フィーダで送られた原稿から画像をラインセンサなどで読み取り、それにより得たスキャン画像データを出力する。また、スキャナ２０３は、当該スキャナに固有なイメージロスを表すイメージロス情報を出力する。
【００９２】
画像データ記憶部２０５は、外部インターフェース２０１から外部入力画像データを入力し、これを記憶する。また、画像データ記憶部２０５は、スキャナ２０３からスキャン画像データを入力して、これを記憶する。ここで、外部入力画像データ及びスキャン画像データには、画像のサイズ及び縦長か横長かの方向を表す画像サイズ／方向情報も含まれる。画像データ記憶部２０５は、記憶している画像データに基づいて、処理前画像データ及び処理前画像サイズ／方向情報を出力する。
【００９３】
ユーザインターフェース２０７は、例えば、液晶タッチパネルであり、ユーザ向けの画面を表示し、ユーザからの入力を受け付ける。また、ユーザインターフェース２０７は、プレビュー画像生成部２２３から入力したプレビュー画面データに基づいて、プレビュー画面を表示する。更に、ユーザインターフェース２０７は、表示している各種設定画面に対するユーザによる入力に基づいて、縦部数情報、横部数情報、両面／片面情報、綴じ方向情報、タンデム情報、印刷用紙サイズ／方向情報、イメージロス算入情報及びフィッティング要否情報を出力する。ここで、縦部数情報及び横部数情報とは、リピート印刷をする際の縦に並ぶ個別画像の部数及び横に並ぶ個別画像の部数のことである。両面／片面情報は、両面印刷又は片面印刷の選択を表す。綴じ方向情報は、縦綴じ又は横綴じの選択を表す。タンデム情報は、タンデム印刷のＯＮ又はＯＦＦの選択を表す。印刷用紙サイズ／方向情報は、印刷用紙のサイズの選択及び縦方向又は横方向の選択を表す。イメージロス算入情報は、合成ボイドを算出する際に、イメージロスを考慮して算入するか否かを表す。フィッティング要否情報は、フィッティングの要否を表す。フィッティングについては、後述する。
【００９４】
固有ボイド記憶部２０８は、印刷エンジン２２１を含む印刷機能部の固有ボイドに関する固有ボイド情報を保持する。固有ボイド記憶部２０８に保持されている固有ボイド情報は、後述するように、多機能印刷機２００自身の合成ボイド算出部２０９で用いられるのみならず、他の多機能印刷機の印刷機能部を用いてタンデム印刷をする場合には、該他の多機能印刷機で外部固有ボイド情報として用いられる。
【００９５】
合成ボイド算出部２０９は、固有ボイド情報、縦部数情報、横部数情報、両面／片面情報、綴じ方向情報、タンデム情報、印刷用紙サイズ／方向情報、処理前画像サイズ／方向情報及びイメージロス算入情報に基づいて合成ボイドを算出し、これを表す合成ボイド情報を出力する。また、合成ボイド算出部２０９は、多機能印刷機２００自身の印刷機能部を用いてタンデム印刷をする場合には、外部固有ボイド情報にも基づいて合成ボイドを算出する。更に、合成ボイド算出部２０９は、イメージロス算入情報が、イメージロスを算入することを表している場合には、イメージロス情報にも基づいて合成ボイドを算出する。
【００９６】
トリミング位置算出部２１３は、合成ボイド情報に基づいて、各個別画像に対するトリミング位置を算出し、これを表すトリミング位置情報を出力する。但し、固有ボイドは、全個別画像に対して共通であるので、トリミング位置も全個別画像に対して共通である。また、トリミング位置を算出するためには、合成ボイド情報の他に、処理前画像の四隅の座標又は四辺の座標を処理前画像サイズ／方向情報から得る。四隅の座標又は四辺の座標を基準にしてトリミング位置が定まる。図１４には図示していないが、トリミング位置算出部２１３は、処理前画像サイズ／方向情報も入力する。
【００９７】
印刷開始位置算出部２１５は、合成ボイド情報に基づいて、各個別画像に対する印刷開始位置を算出し、これを表す印刷開始位置情報を出力する。印刷開始位置は、印刷用紙における各個別画像毎のものであり、各個別画像の縦方向及び横方向の順序毎に異なる。また、印刷開始位置を算出するためには、印刷用紙サイズ、印刷用紙方向、縦方向部数、横方向部数も用いる。従って、図示していないが、印刷開始位置算出部２１５は、各個別画像の縦方向及び横方向の印刷順序を表す情報、印刷用紙サイズ／方向情報、縦部数情報及び横部数情報も入力する。
【００９８】
フィッティング縮小率算出部２１７は、フィッティング要否情報がフィッティング必要を示している場合には、合成ボイド情報に基づいて、フィッティング縮小率を算出し、これを表す縮小率情報を出力する。なお、フィッティング要否情報がフィッティング不要を示している場合には、縮小率は一倍である。ここで、フィッティング印刷とは、トリミングして残った領域に、処理前画像の全領域が含まれるように処理前画像のサイズを変更して行う印刷のことである。例えば、トリミングにより縦方向に７０％の領域が残り、横方向に７５％の領域が残れば、これらの最小値を取って変倍率を７０％とする。
【００９９】
印刷エンジン駆動情報生成部２１９は、処理前画像データ、トリミング位置情報、印刷開始位置情報、縮小率情報、縦部数情報及び横部数情報に基づいて、印刷エンジン駆動情報を生成する。印刷エンジン駆動情報生成部２１９は、縮小率に基づいて、処理前画像を縮小する。縮小率が１００％である場合には、縮小はしない。また、印刷エンジン駆動情報生成部２１９は、変倍率が１００％以外である場合には、更に、変倍率に基づいて処理前画像を変倍する。それから、印刷エンジン駆動情報生成部２１９は、トリミング位置情報に基づいて各処理前画像のトリミングを行う。それから、印刷エンジン駆動情報生成部２１９は、印刷開始位置情報に基づいて、印刷用紙に印刷する全ての画像（処理前画像であって、必要に応じて縮小、変倍及びトリミングが行われた画像）を配置し、これにより、印刷エンジン駆動情報を得る。
【０１００】
印刷エンジン２２１は、印刷エンジン駆動情報に含まれる画像データ、描画命令などに従って、印刷用紙に対してリピート印刷をする。
【０１０１】
なお、図１４に基づいた説明においては、処理前画像サイズと印刷用紙サイズとの比率に応じて算出されたり、ユーザに指定されたりする変倍率に関連した処理、両面印刷をする場合の処理、綴じ方向に応じた処理に関連した部分は、発明の範囲外であるので、省略した。
【０１０２】
次に、上記の実施形態１乃至６のリピート印刷方法を図１４に示す画像形成装置により行う場合の装置の動作について図１５などを参照して説明する。
【０１０３】
図１５を参照すると、まず、前設定を行う（ステップＳ３０１）。ここで、前設定とは、ユーザインターフェース２０７を用いて行う各種情報（縦部数情報、横部数情報、両面／片面情報、綴じ方向情報、タンデム情報、印刷用紙サイズ／方向情報、イメージロス情報など）の設定である。
【０１０４】
次に、画像入力及び／又は画像スキャンを行う（ステップＳ３０３）。ここで、画像入力とは、外部インターフェース２０１を用いて外部から画像データを入力することである。また、画像スキャンとは、スキャナ２０３を用いて画像をスキャンすることである。
【０１０５】
次に、ステップＳ３０３で取得した画像データを画像データ記憶部２０５に格納する（ステップＳ３０５）。
【０１０６】
次に、合成ボイド算出部２０９は、合成ボイドを算出する（ステップＳ３０７）。これの詳細は後述する。
【０１０７】
次に、トリミング位置算出部２１３、印刷開始位置算出部２１５及びフィッティング縮小率算出部２１７は、それぞれ、トリミング位置、印刷開始位置及びフィッティング縮小率を算出し、これらに対応したトリミング位置情報、位置開始位置情報及び縮小率情報を生成する（ステップＳ３０９）。これの詳細も後述する。
【０１０８】
次に、ユーザインターフェース２０７を介してユーザがプレビュー表示を要求するかどうかを問い合わせ、要求している場合には（ステップＳ３１１でＹＥＳ）、プレビュー画像生成部２２３がプレビュー画像を生成し（ステップＳ３１３）、ユーザインターフェース２０７に含まれる表示部がプレビュー画像を表示する（ステップＳ３１５）。
【０１０９】
次に、ユーザインターフェース２０７を介してユーザが設定変更を要求するかどうかを問い合わせ、要求している場合には（ステップＳ３１７でＹＥＳ）、設定変更をして（ステップＳ３１９）、合成ボイドを算出するステップＳ３０７に戻り、合成ボイドの算出からやり直す。
【０１１０】
ユーザがプレビュー表示を要求していない場合（ステップＳ３１１でＮＯ）及びユーザが設定変更を要求していない場合（ステップＳ３１７でＮＯ）には、印刷エンジン駆動情報生成部２１９は、印刷エンジン駆動情報を生成し（ステップＳ３２１）、印刷エンジン２２１は、リピート印刷を行う（ステップＳ３２３）。
【０１１１】
次に、合成ボイド算出ステップＳ３０７の詳細について図１６を参照して説明する。
【０１１２】
まず、合成ボイド算出部２０９は、各種情報を入力する（ステップＳ３０７−１）。ここで、各種情報とは、上述したように固有ボイド情報、縦部数情報、横部数情報、両面／片面情報、綴じ方向情報、タンデム情報、印刷用紙サイズ／方向情報、処理前画像サイズ／方向情報及びイメージロス算入情報などを含む。
【０１１３】
次に、Ｓ３０７−３ＳからＳ３０７−３Ｅまでの間にあるステップを辺毎に繰り返す。
【０１１４】
各繰り返しでは、まず、現在対象としている辺に対応した合成ボイドの算出のために必要な固有ボイド情報を集める（ステップＳ３０７−５）。どのような固有ボイド情報を集める必要があるかということに関する説明は既に実施形態１乃至６で説明したとおりである。
【０１１５】
次に、ステップＳ３０７−５で集めた各固有ボイドの幅の中で最大の幅を合成ボイドの幅として設定する（ステップＳ３０７−７）。
【０１１６】
ステップＳ３０７−５及びステップＳ３０７−７を一般的に説明すると、各個別画像の各辺毎に、その辺に対応する固有ボイド情報を集めることにより一次集合を各個別画像毎・各辺毎に求め、更に、個別画像間で対応する辺の間で一次集合の和集合を取り、それを二次集合とする。そして、一次集合毎に、幅が最大の固有ボイドを探し、その固有ボイドの幅を、その一次集合に対応する辺の合成ボイドの幅とする。一次集合を元に各個別画像毎に一次合成ボイドを生成してから、辺毎に個別画像間で幅が最大の一次合成ボイドを探し、それをその辺に対応する個別画像間で共通な合成ボイドとしてもよい。どの個別画像の辺であるかということには関係なく、各方向の辺毎に、その辺に対応する固有ボイド情報を集め、その中から幅が最大である固有ボイドをその辺に対応する合成ボイドとしてもよい。ここで、個別画像間で集めた各方向の辺を辺集合と称することとすると、辺集合毎に、それに対応する固有ボイド情報を集め、その中から幅が最大である固有ボイドをその辺集合に含まれる辺の合成ボイドとする動作となる。辺集合をどのような辺を集めたものとするかについては、実施形態毎に既に説明した。
【０１１７】
次に、イメージロス算入情報がイメージロスも合成ボイドの幅の算出に必要であることを示している場合には（ステップＳ３０７−９でＹＥＳ）、現在対象としている辺に対応したイメージロス幅のほうがステップＳ３０７−７で算出した現在対象としている辺に対応した合成ボイド幅よりも広いか否かを判断する（ステップＳ３０７−１１）。合成ボイド幅よりイメージロス幅のほうが広い場合は（ステップＳ３０８−１１でＹＥＳ）、そのイメージロス幅を合成ボイド幅として設定する（ステップＳ３０７−１３）。
【０１１８】
イメージロス算入情報がイメージロスも合成ボイドの幅の算出に必要であることを示していない場合（ステップＳ３０７−９でＮＯ）及び現在対象としている辺に対応したイメージロス幅のほうがステップＳ３０７−７で算出した現在対象としている辺に対応した合成ボイド幅以下である場合（ステップＳ３０７−１１でＮＯ）には、Ｓ３０７−１３をスキップする。
【０１１９】
次に、各種情報（トリミング位置情報、位置開始位置情報及び縮小率情報）を算出するステップＳ３０９の詳細について図１７を参照して説明する。
【０１２０】
Ｓ３０９−１ＳからＳ３０９−１Ｅまでの間にあるステップを個別画像毎に繰り返す。
【０１２１】
各繰り返しで、まず、印刷開始位置算出部２１５は、現在対象となっている個別画像の印刷開始位置を算出する（ステップＳ３０９−３）。
【０１２２】
次に、フィッティング縮小率算出部２１７は、フィッティング要否情報が、フィッティング必要を示しているならば、現在対象となっている個別画像について、フィッティング縮小率を算出する（ステップＳ３０９−５）。
【０１２３】
次に、トリミング位置算出部２１３は、現在対象となっている個別画像の各辺毎にトリミング位置を算出する（Ｓ３０９−７Ｓ、Ｓ３０９−９、Ｓ３０９−７Ｅ）。
【０１２４】
［実施形態８］
本実施形態は、タンデム印刷とリピート印刷を併用するものである。
【０１２５】
図１８（ａ）に、タンデム印刷とリピート印刷を併用する第１の形態を示す。この形態においては、多機能印刷機＃１（符号２００＃１）が、他の多機能印刷機＃２（符号２００＃２）乃至多機能印刷機＃ｎ（符号２００＃ｎ）と接続されている。そして、多機能印刷機２００＃１が多機能印刷機＃２（符号２００＃２）乃至多機能印刷機＃ｎ（符号２００＃ｎ）それぞれの固有ボイド情報を取得し、多機能印刷機＃１（符号２００＃１）乃至多機能印刷機＃ｎ（符号２００＃ｎ）の全てがリピート印刷をする際に、それぞれの多機能印刷機内において個別画像間で合成ボイドが揃うようにするだけではなく、多機能印刷機＃１（符号２００＃１）乃至多機能印刷機＃ｎ（符号２００＃ｎ）の間で合成ボイドが揃うようにする。
【０１２６】
多機能印刷機＃１（符号２００＃１）に備わる合成ボイド算出部２０９は、他の多機能印刷機＃２（符号２００＃２）乃至多機能印刷機＃ｎ（符号２００＃ｎ）の固有ボイド情報を図１４に示す外部固有ボイド情報として入力する。多機能印刷機＃１（符号２００＃１）に備わる合成ボイド算出部２０９が出力する合成ボイド情報を他の多機能印刷機＃２（符号２００＃２）乃至多機能印刷機＃ｎ（符号２００＃ｎ）に出力するようにしてもよい。又は、多機能印刷機＃１（符号２００＃１）に備わる合成ボイド算出部２０９よりも後段にある機能ブロックを利用して、それらの機能ブロックが出力する情報を他の多機能印刷機＃２（符号２００＃２）乃至多機能印刷機＃ｎ（符号２００＃ｎ）に出力するようにしてもよい。
【０１２７】
図１８（ｂ）に、タンデム印刷とリピート印刷を併用する第２の形態を示す。この形態においては、コンピュータ２９０が、多機能印刷機＃１（符号２００＃１）乃至多機能印刷機＃ｎ（符号２００＃ｎ）と接続されている。そして、コンピュータ２９０が多機能印刷機＃１（符号２００＃１）乃至多機能印刷機＃ｎ（符号２００＃ｎ）それぞれの固有ボイド情報を取得し、多機能印刷機＃１（符号２００＃１）乃至多機能印刷機＃ｎ（符号２００＃ｎ）の全てがリピート印刷をする際に、それぞれの多機能印刷機内において個別画像間で合成ボイドが揃うようにするだけではなく、多機能印刷機＃１（符号２００＃１）乃至多機能印刷機＃ｎ（符号２００＃ｎ）の間で合成ボイドが揃うようにする。
【０１２８】
コンピュータ２９０が合成ボイド算出部２０９を含むようにして、多機能印刷機＃１（符号２００＃１）乃至多機能印刷機＃ｎ（符号２００＃ｎ）の固有ボイド情報を図１４に示す外部固有ボイド情報として入力する。コンピュータ２９０に備わる合成ボイド算出部２０９が出力する合成ボイド情報を多機能印刷機＃１（符号２００＃２）乃至多機能印刷機＃ｎ（符号２００＃ｎ）に出力するようにしてもよい。又は、コンピュータ２９０が図１４にある合成ボイド算出部２０９よりも後段にある機能ブロックを含むようにして、それらの機能ブロックが出力する情報を多機能印刷機＃１（符号２００＃１）乃至多機能印刷機＃ｎ（符号２００＃ｎ）に出力するようにしてもよい。
【０１２９】
以上、本発明の実施形態についての説明をした。
【０１３０】
なお、合成ボイドの幅は、上記の実施形態で求めた幅よりも広くてもよい。上記の実施形態では、合成ボイドの必要最小幅を求めた。
【０１３１】
また、原画像は、共通でなくてもよい。一部の個別画像の間のみで共通であってもよい。全ての個別画像間で異なっていてもよい。例えば、リピート印刷において、ページ間で内容が異なるプレゼンテーション画像や、写真を扱えば、特に、余白部分が揃うこととなり、体裁が良くなる。
【０１３２】
なお、上記の多機能印刷機は、ハードウェア、ソフトウェア又はこれらの組合せにより実現することができる。また、上記のリピート印刷方法も、ハードウェア、ソフトウェア又はこれらに組合せにより実現することができる。ここで、ソフトウェアによって実現されるとは、コンピュータがプログラムを読み込んで実行することにより実現されることを意味する。
【０１３３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１３４】
本発明は、画像形成媒体に画像を形成するために利用することができる。
【符号の説明】
【０１３５】
２０１  外部インターフェース
２０３  スキャナ（スキャン機能部）
２０５  画像データ記憶部
２０７  ユーザインターフェース
２０８  固有ボイド記憶部
２０９  合成ボイド算出部
２１３  トリミング位置算出部
２１５  印刷開始位置算出部
２１７  フィッティング縮小率算出部
２１９  印刷エンジン駆動情報生成部
２２１  印刷エンジン
２２３  プレビュー画像生成部
【図１】
2015149538.tif 000003
【図２】
2015149538.tif 000004
【図３】
2015149538.tif 000005
【図４】
2015149538.tif 000006
【図５】
2015149538.tif 000007
【図６】
2015149538.tif 000008
【図７】
2015149538.tif 000009
【図８】
2015149538.tif 000010
【図９】
2015149538.tif 000011
【図１０】
2015149538.tif 000012
【図１１】
2015149538.tif 000013
【図１２】
2015149538.tif 000014
【図１３】
2015149538.tif 000015
【図１４】
2015149538.tif 000016
【図１５】
2015149538.tif 000017
【図１６】
2015149538.tif 000018
【図１７】
2015149538.tif 000019
【図１８】
2015149538.tif 000020